(57)【要約】【課題】狭い作業スペースでも締め付けあるいは緩めのために十分な範囲で旋回可能としたヘッド可動型スパナを提供する。【解決手段】片口スパナの操作棹６を片口スパナのスパナヘッド２の両顎部２２，２３を含む平面に対して直交する方向に引き起こして角ナットに対する前記操作棹６の旋回範囲を変更可能とした。これにより、狭い作業スペースでの操作棹６の回動を許容して作業を容易にすることができる。また、角ナットに上記２つの顎部を左右反転した状体で横掛けし、上記と反対の回動方向に操作棹のトルクを加えることができる構成とした。【選択図】図１
2016132069.tif 000002
【特許請求の範囲】
【請求項１】
基部から刺股状に、かつ共通面内で互いに向かい合って延出した第１顎部と第２顎部を有し、前記第１顎部の端部と前記第２顎部の端部との間に開放部が設けられて角ナットに横掛けするための片口スパナヘッドと、一端にグリップ部を有して他端に前記片口スパナヘッドを可動的に取り付けたシャフトからなる操作棹とから構成された角ナット用のヘッド可動型スパナであって、
前記片口スパナヘッドを構成する前記第１顎部は、前記角ナットの角間サイズに相当する所定の間隔で当該角ナットの側面に当接する当接面を介して隣接する第１角と第２角とからなる第１の支持固定部を有し、
前記片口スパナヘッドを構成する前記第２顎部は、前記第１顎部の前記当接面と向かい合い、前記角ナットの側面に頂部が当接するごとく突出する弧面からなる第２の支持固定部を有し、
前記６角ナットの側面方向から前記片口スパナヘッドを横掛けした状態で、前記片口スパナヘッドを時計周りに回転したときは前記第１の支持固定部と前記第２の支持固定部とで前記角ナットを固定して締め付けるトルクを与え、
前記角ナットの側面方向から前記片口スパナヘッドを横掛けした状態で、前記片口スパナヘッドを反時計周りに回動したときは前記第２の支持固定部の前記弧面の頂部は前記角ナットの側面を滑り、前記第１角と第２角は前記角ナットの前記角から脱出して前記角ナットへの回転トルクの伝達が遮断されることを特徴とするヘッド可動型スパナ。
【請求項２】
請求項１において、
前記片口スパナヘッドを、前記第１の支持固定部と前記２の支持固定部との位置を前記各ナットに対して入れ替えるごとく表裏反転して前記角ナットの側面方向から前記片口スパナヘッドを横掛けした状態で、前記片口スパナヘッドを反時計周りに回転したときは前記第１の支持固定部と前記第２の支持固定部とで前記角ナットに緩めるトルクを与え、
前記角ナットの側面方向から前記片口スパナヘッドを横掛けした状態で、前記片口スパナヘッドを時計周りに回動したときは前記第２の支持固定部の前記弧面の頂部は前記角ナットの側面を滑り、前記第１角と第２角は前記６角ナットの前記角から脱出して前記６角ナットへの回転トルクの伝達が遮断されることを特徴とするヘッド可動型スパナ。
【請求項３】
請求項１又は２において、
前記片口スパナヘッドと前記シャフトは、前記シャフトの前記他端に固定された支持ホルダを介して接続されており、
前記片口スパナヘッドの前記基部の前記第１顎部と前記第２顎部とは反対側に、前記第１顎部と前記第２顎部と平行に貫通孔が設けられており、
前記支持ホルダは前記グリップ部と反対の端部に前記片口スパナヘッドの前記基部を受容するＵ字溝が形成され、前記Ｕ字溝を橋絡して前記片口スパナヘッドの前記基部に設けた前記貫通孔を通して整列するホルダ貫通孔を有し、
前記片口スパナヘッドの前記基部と前記支持ホルダは、前記ホルダ貫通孔と前記片口スパナヘッドの前記基部に設けられた貫通孔を貫通する支持ピンで回動可能に接続されていることを特徴とするヘッド可動型スパナ。
【請求項４】
請求項３において、
前記支持ピンは、その両端部が前記ホルダ貫通孔に固着され、前記片口スパナヘッドの前記基部に有する基部貫通孔は前記支持ピンを回動可能に挿通していることを特徴とするヘッド可動型スパナ。
【請求項５】
請求項１乃至４の何れかにおいて、
前記片口スパナの前記操作棹を当該片口スパナのスパナヘッドの両顎部を含む平面に対
して直交する方向に引き起こし回動が可能であり、前記角ナットに対する前記操作棹の旋回範囲を変更可能としたことを特徴とするヘッド可動型スパナ。
【請求項６】
請求項３において、
前記スパナヘッドの前記基部と前記支点ホルダの前記Ｕ字溝との間に、前記支持ピンの少なくとも一端部に挿通して当該スパナヘッドとＵ字溝とを弾圧するスプリングワッシャを備えたことを特徴とするヘッド可動型スパナ。
【発明の詳細な説明】
【技術分野】
【０００１】
本発明は、ヘッドの一部が解放した所謂、片口スパナに係り、特に、ねじ式Ｆ型コネクタの接栓スリーブにヘッドを横掛けしたまま、その操作棹を該ヘッド周りの任意の角度の面内で往復回動させるだけで接栓座に接栓スリーブを締め付けあるいは緩める操作に用いて好適なヘッド可動型スパナに関する。
【背景技術】
【０００２】
従来、ボルト・ナットなどのねじの角ナットやねじ式Ｆ型コネクタ（以下、単にＦ型コネクタ）の接栓スリーブを一方向（順方向：通常は時計周り）に回動して締め付け、あるいは他の方向（逆方向：通常は反時計周り）に回動して緩めを行う片口スパナは、一方向の回動方向でのみ締め付け、あるいは緩める操作のためのトルクを与えることしかできない。そのため、例えば、順方向ねじ山を有する接栓スリーブを接栓座に締め付ける場合には、接栓スリーブのスパナのヘッドを横掛けして該接栓座に対して一度時計方向の操作可能角度まで回し、その後ヘッドの横掛けを外して再度横掛けして締め付ける操作を繰り返えすことになる。
【０００３】
特に、ＣＡＴＶ放送局や中継局等の設備では、放送や中継のための受信装置、送信・分配装置やその他の機器は収納ラック（棚）に縦や横に高密度で設置されている。これらの機器の間を結ぶ信号ケーブル（同軸ケーブル）にはＦ型コネクタが多数用いられ、各機器に備えた接続ボード間を接続している。各機器の接続ボードでは、Ｆ型コネクタの接栓がその接続ボードの狭いスペースに密集して配置されている。このような設備におけるメンテナンス等ではＦ型コネクタの脱着に伴う締め付けあるいは緩め作業を、スパナを用いた人手で行っている。
【０００４】
通例、収納ラックに設置された機器の間の作業スペースは狭くなっている。このような狭いスペースで、同軸ケーブルが接続された状態の接栓スリーブを接続ボードに取り付けられた接栓座に締め付ける、あるいは緩める作業は、作業者にとっては極めて困難である。なお、スパナのヘッドをボルトに横掛けしたまま、スパナの操作棹（以下、把手とも称する）を往復回動させるだけでナットへの当該ボルトの締め付け作業や緩め作業を可能としたものとした手工具の例としては、特許文献１に開示のモンキーレンチを挙げることができる。
【０００５】
特許文献１に開示されたモンキーレンチは、ヘッドの固定顎部に第一歯と第２歯を有し、可動顎部には外部に突出する弧面を形成している。そして、角ナットに対して前記固定顎部を平面視で右側になるようにヘッドを当該角ナットに横掛けして第１顎と第２顎とで挟みこむ。ヘッドの順方向回動では角ナットの角を前記第一歯と第２歯で引っ掛けることで角ナットに回転トルクを与え、逆方向回動では角ナットの角が前記可動顎部に有する弧面を滑って角ナットにトルクが印加されないようになっている。また、ヘッドの面をひっくり返して角ナットに横掛けすることで、上記とは逆に、各ナットに緩め方向のトルクを与えることができる。
【０００６】
上記したように、特許文献１に開示されたモンキーレンチは片口レンチの一方の固定顎部に角ナットの角に係合する歯を設け、他方の可動顎部には外部に突出する弧面を形成することで一方向の回転時でのみ角ナットに回動トルクが印加される構成としたものである。ねじの締め付け作業あるいは緩め作業時には、そのスパナヘッドを角ナットに横掛けしたままで一方向の締め付け作業が把手の往復回動で可能としている。
【０００７】
しかし、ＣＡＴＶ放送局や中継局等における放送設備等でのねじ式Ｆ型コネクタ（以下、単にＦ型接栓とも称する）での接栓スリーブの締め付けあるいは緩め作業では、レンチを使用する空間が狭く、把手を動かす作業スペース（把手すなわち操作棹の旋回領域）は極めて限られ、このようなレンチでは、その把手が長いほど作業がし難くなる。
【０００８】
なお、ネジ頭との係合面に対して把手を垂直方向に引き起こして該把手の角度を変更して旋回領域を狭くできるようにしたスパナは特許文献２に開示がある。この公報に開示のスパナは、ねじ頭（角ナット）を回動する駆動ヘッド（本発明のスパナヘッドに対応）そのものを交換可能としたもので、駆動ヘッドの一端に連結部を設け、ハンドル（把手、：本発明のシャフトに対応）を上記垂直方向に引き起して回動可能にしたものである。
【先行技術文献】
【特許文献】
【０００９】
【特許文献１】実用新案登録第３１５２３６９号公報
【特許文献２】特開２００９―５６５８０号公報
【発明の開示】
【発明が解決しようとする課題】
【００１０】
スパナヘッドを角ナットに横掛けし、その横掛けを外さずにシャフトの往復回動のみで当該角ナットの締め付けや緩めを可能とする特許文献１に記載のスパナでは、狭いスペースでの作業を容易に実行することは困難である。また、特許文献２に記載されたスパナは、角ねじの締め付け作業からその緩め作業への転換は、駆動ヘッドを一旦角ナットとの縦掛けから取り外し、駆動ヘッドを上下反対にした状態で再度角ナットに対して縦掛けする必要がある。従って、同軸ケーブルが接続された状態の接栓スリーブを接続ボードに取り付けられた接栓座に締め付けあるいは緩め作業を行うには、特許文献２に記載されたようなスパナを使用することは不可能である。
【００１１】
本発明の目的は、一方向の回転時でのみ角ナットに回動トルクが印加される構成とした片口スパナの操作棹すなわち把手（ハンドル、シャフトなどとも呼ばれる）を狭い作業スペースでも締め付けあるいは緩めのために十分な範囲で旋回可能としたヘッド可動型スパナを提供することにある。
【課題を解決するための手段】
【００１２】
上記目的を達成するため、本発明は、片口スパナの操作棹を片口スパナのスパナヘッドの両顎部を含む平面に対して直交する方向に引き起こして前記角ナットに対する前記操作棹の旋回範囲を変更可能とした。これにより、狭い作業スペースでの操作棹の任意な旋回範囲での回動を許容して作業を容易にすることができる。また、角ナットに上記２つの顎部を左右反転した状体で横掛けし、上記と反対の回動方向に操作棹のトルクを加えることができる構成とした。
【００１３】
本発明に係る可動ヘッド型スパナの代表的な構成を以下に記載する。なお、以下に記載する発明の構成に対応する実施例の符号を付してあるが、これは、本発明の理解を容易にするためであり、本発明はこの符号で示される構成に限定されるものではない。
【００１４】
（１）基部２１から刺股状に、かつ共通面内で互いに向かい合って延出した第１顎部２２と第２顎部２３を有し、前記第１顎部２２の端部と前記第２顎部２３の端部との間に開放部が設けられて角ナット１０に横掛けするための片口スパナヘッド２と、一端にグリップ部９を有して他端に前記片口スパナヘッド２を可動的に取り付けたシャフト７からなる把手（操作棹）６とから構成され、
前記片口スパナヘッド２を構成する前記第１顎部２２は、前記角ナット１０の角間サイ
ズに相当する所定の間隔で当該角ナット１０の側面に当接する当接面２２３を介して隣接する第１角２２１と第２角２２２とからなる第１の支持固定部を有し、
前記片口スパナヘッド２を構成する前記第２顎部２３は、前記第１顎部２２の前記当接面２２３と向かい合い、前記角ナット１０の側面に頂部が当接するごとく突出する弧面２３１からなる第２の支持固定部を有し、
前記６角ナット１０の側面方向から前記片口スパナヘッド２を横掛けした状態で、前記片口スパナヘッド２を時計周りに回転したときは前記第１の支持固定部と前記第２の支持固定部とで前記角ナット１０を固定して締め付けるトルクを与え、
前記角ナット１０の側面方向から前記片口スパナヘッド２を横掛けした状態で、前記片口スパナヘッド２を反時計周りに回動したときは前記第２の支持固定部の前記弧面の頂部は前記角ナット１０の側面を滑り、前記第１角２２１と第２角２２２は前記６角ナット１０の前記角から脱出して前記６角ナット１０への回転トルクの伝達が遮断される構成とした。
【００１５】
（２）前記片口スパナヘッド２を、前記第１の支持固定部と前記２の支持固定部との位置を前記各ナットに対して入れ替えるごとく表裏反転して前記６角ナット１０の側面方向から前記片口スパナヘッド２を横掛けした状態で、前記片口スパナヘッド２を反時計周りに回転したときは前記第１の支持固定部と前記第２の支持固定部とで前記角ナット１０に緩めるトルクを与え、
前記角ナット１０の側面方向から前記片口スパナヘッド２を横掛けした状態で、前記片口スパナヘッド２を時計周りに回動したときは前記第２の支持固定部の前記弧面の頂部は前記角ナット１０の側面を滑り、前記第１角２２１と第２角２２２は前記６角ナット１０の前記角から脱出して前記６角ナット１０への回転トルクの伝達が遮断される構成とした。
【００１６】
（３）前記片口スパナヘッド２と前記シャフト７は、前記シャフト７の前記他端に固定された支持ホルダ３を介して接続されており、
前記片口スパナヘッド２の前記基部２１の前記第１顎部２２と前記第２顎部２３とは反対側に、前記第１顎部２２と前記第２顎部２３と平行に貫通孔２４が設けられており、
前記支持ホルダ３は前記グリップ部９と反対の端部に前記片口スパナヘッド２の前記基部２１を受容するＵ字溝３１が形成され、前記Ｕ字溝３１を橋絡して前記片口スパナヘッド２の前記基部２１に設けた前記貫通孔２４を通して整列するホルダ貫通孔３３を有し、
前記片口スパナヘッド２の前記基部２１と前記支持ホルダ３は、前記ホルダ貫通孔３３と前記片口スパナヘッド２の前記基部２１に設けられた貫通孔２４を貫通する支持ピン４で回動可能に接続される構成とした。
【００１７】
（４）前記支持ピン４は、その両端部が前記ホルダ貫通孔３３に固着され、前記片口スパナヘッド２の前記基部２１に有する基部貫通孔２４は前記支持ピン４を回動可能に挿通している構成とした。
【００１８】
（５）前記片口スパナの操作棹６を当該片口スパナのスパナヘッド２の両顎部２２，２３を含む平面に対して直交する方向に引き起こし回動が可能であり、前記角ナットに対する前記操作棹６の旋回範囲を変更可能に構成した。
【００１９】
（６）前記スパナヘッド２の前記基部２１と前記支点ホルダ３の前記Ｕ字溝３１との間に、前記支持ピン４の少なくとも一端部に挿通して当該スパナヘッドとＵ字溝３１とを弾圧するスプリングワッシャ５を備えた。
【００２０】
本発明は、上記の構成および後述する実施例の構成に限定されるものではなく、例えば実施例に示す操作棹（把手）に替えて、既知のスパナ類と同様の平型の把手の端部に上記
と同様の支持ホルダを形成し、または固着してスパナヘッドを引き起こし回動可能に取り付けたものとすることもできる。その他、本発明の技術思想を逸脱することなく、種々の変更が可能であることは言うまでもない。
【発明の効果】
【００２１】
本発明の構成としたヘッド可動型スパナによれば、一方向の回転時でのみ角ナット等（Ｆ型接栓のスリーブなどを含む）に順方向（時計周り）の回動トルクが印加されるスパナヘッドを備え、その把手の旋回範囲を任意に選択できるようにしたことで、狭い作業スペースでの操作棹の回動を許容して作業を容易にすることができる。そして、上記スパナヘッドを角ナット等に係合する互いに対向する２つの顎部を左右反転した状体で当該角ナット等に横掛けし、上記と反対の回動方向（逆方向：反時計周り）に操作棹のトルクを加えることができるとともに、操作棹の旋回範囲を任意に可変できるため、狭い作業スペースでも横掛け方向を変更するのみで締め付けあるいは緩めのための作業が容易である。
【００２２】
さらに、操作棹（把手）として、本願の実施例に採用されるような、所謂ドライバ（棒状のねじ廻し）と同様の形状としたものでは、一対の顎部の解放部が操作棹の長手方向の延長上に位置させているので、所謂ドライバと同じ感覚で角ナット等にアクセスでき、暗所での作業における使い勝手に優れている。
【００２３】
本発明は、一般的な各ナットの締め付け、緩め作業に適用できるものであるが、特に、収納ラックに高密度で設置されるＣＡＴＶ放送機器あるいはその中継機器などの設備において、同軸ケーブルが接続された状態のＦ型コネクタなどの接栓スリーブを接続ボードに取り付けられた接栓座に締め付けあるいは緩めを行う作業では、作業員の負担を大幅に軽減でき、作業効率の向上に寄与する。なお、操作棹の長さは任意である。
【図面の簡単な説明】
【００２４】
【図１】本発明に係るヘッド可動型スパナの実施例１を説明する分解斜視図である。
【図２】本発明に係るヘッド可動型スパナの実施例１の形状を説明する上面図である。
【図３】本発明に係るヘッド可動型スパナの実施例１の形状を説明する下面図である。
【図４】本発明に係るヘッド可動型スパナの実施例１の形状を説明する右側面図である。
【図５】本発明に係るヘッド可動型スパナの実施例１の形状を説明する左側面図である。
【図６】本発明に係るヘッド可動型スパナの実施例１の形状を説明する正面図である。
【図７】本発明に係るヘッド可動型スパナの実施例１の形状を説明する背面図である。
【図８】本発明に係るヘッド可動型スパナの実施例１の要部構造を説明する側面図である。
【図９】本発明に係るヘッド可動型スパナの実施例１の要部構造を説明する正面図である。
【図１０】本発明に係るヘッド可動型スパナの実施例１におけるスパナヘッドの説明図である。
【図１１】本発明に係るヘッド可動型スパナの実施例１における支持ホルダの説明図である。
【図１２】本発明に係るヘッド可動型スパナの実施例１における操作棹の説明図である。
【図１３】本発明に係るヘッド可動型スパナの実施例１における支持ホルダを取り付けた操作棹の説明図である。
【図１４】本発明に係るヘッド可動型スパナの実施例１のスパナヘッドをナットの締め付けのために横掛けした状態の説明図である。
【図１５】本発明に係るヘッド可動型スパナの実施例１のスパナヘッドをナットの締め付けのために横掛けして操作棹のシャフトを引き起こした状態の説明図である。
【図１６】本発明に係るヘッド可動型スパナの実施例１のスパナヘッドをナットの緩めのために横掛けした状態の説明図である。
【図１７】本発明に係るヘッド可動型スパナの実施例１のスパナヘッドをナットの緩めのために横掛けして操作棹のシャフトを引き起こした状態の説明図である。
【図１８】本発明に係るヘッド可動型スパナの実施例２を説明する分解斜視図である。
【図１９】本発明に係るヘッド可動型スパナの実施例２のスパナヘッドをナットの締め付けのために横掛けした状態の説明図である。
【図２０】本発明に係るヘッド可動型スパナの実施例２のスパナヘッドをナットの緩めのために横掛けした状態の説明図である。
【発明を実施するための最良の形態】
【００２５】
以下、本発明の実施の形態を実施例の図面を参照して詳細に説明する。
【実施例１】
【００２６】
図１は、本発明に係るヘッド可動型スパナの実施例１を説明する分解斜視図である。図１では、全体の長さが紙面に収まり切れないため、作業者が握る操作棹（以下、把手とも称する）部分を分割し、かつ作業者が把持するグリップ部側を縮小して示してある。本実施例に係るヘッド可動型スパナ１は、片口スパナヘッド（以下、単にスパナヘッドとも称する）２と支持ホルダ３および把手６の大きく分けて3つの部分で構成される。
【００２７】
また、図２乃至図７は、本発明に係るヘッド可動型スパナの実施例１の全体形状を説明する6面図である。図２は上面図、図３は下面図、図４は右側面図、図５は左側面図、図
６は正面図、図７は背面図である。
【００２８】
図１に示したように、スパナヘッド２は、その基部２１から肩部２１１を介して刺股状に、かつ共通面内で互いに向かい合って延出した第１顎部２２と第２顎部２３を有する。第１顎部２２の端部と第２顎部２３の端部との間には操作棹の長手方向の延長線上に開放部が設けられて、角ナット１０等に横掛け（当該ナットの側面からスパナヘッドの顎部を係合）するための、所謂片口スパナヘッドとなっている。そして、スパナヘッド２を構成する第１顎部２２は、角ナット等の角間サイズに相当する所定の間隔で当該角ナット等の側面に当接する当接面２２３を介して隣接する第１角２２１と第２角２２２とからなる第１の支持固定部を有している。
【００２９】
スパナヘッド２を構成する第２顎部２３は、前記第１顎部２２の前記当接面２２３と向かい合い、前記角ナット等の側面に頂部が当接するごとく外側に突出する弧面２３１からなる第２の支持固定部を有している。このスパナヘッド２は、支持ホルダ３を介して一端にグリップ部９を有して他端に前記片口スパナヘッド２を可動的に取り付けたシャフト７からなる操作棹（把手）６に接続している。
【００３０】
支持ホルダ３は、端面を円弧部３４とした一端にＵ字溝３１を有し、他端にはシャフト７の段差（シャフト側段差）７１に溶接固定されるホルダ側段差３２を有する大略矩形の部材で構成されている。Ｕ字溝３１両椀にはホルダ貫通孔３３が形成されている。一方、スパナヘッド２の基部２１は、当該Ｕ字溝３１の解放部に回動可能には係合する形状となっており、この基部２１に基部貫通孔２４が設けてある。スパナヘッド２の基部２１に有
する基部貫通孔２４をＵ字溝３１両椀に有するホルダ貫通孔３３に合わせ、支持ピン４を挿入して両者を結合する。ホルダ貫通孔３３の径を支持ピン４に嵌合するサイズとしておくことで、支持ピン４を打ち込んでホルダ貫通孔３３に固着するのが望ましい。もちろん、スパナヘッド２の基部２１に有する基部貫通孔２４の径は、支持ピン４の周りを自由回転できるサイズとする。
【００３１】
支点ホルダ３は、そのホルダ側段差３２を、把手６を構成するシャフト７の先端に有するシャフト側段差７１に溶接される（溶接部７２）。シャフト７は固定部８でグリップ部９に接続されている。本実施例のヘッド可動型スパナの全体形状を図２乃至図７に示す。
【００３２】
図８は、本発明に係るヘッド可動型スパナの実施例１の要部構造を説明する側面図、図９は本発明に係るヘッド可動型スパナの実施例１の要部構造を説明する正面図である。図８において、支点ホルダ３のスパナヘッド２側端部には円弧部３４を有し、スパナヘッド２が矢印方向に自由に回動できるようになっている。スパナヘッド２１の指示ホルダ３側端部も同様な円弧部を有している。すなわち、シャフト７で構成される把手はスパナヘッド２に対して、支持ピン４の周りで略１８０度の範囲で引き起こしできるようになっている。
【００３３】
図９は、図８に示したスパナヘッドをその正面（図６参照）から見たスパナヘッドの代表的な３位置の説明図である。スパナヘッドは、第１顎部２２と第２顎部２３を含む平面に把手６を含む位置で該把手に同軸であり、この位置（中央位置）に対して同図に正対して９０度右方、及び９０度左方に回動させた状態を一緒に示してある。スパナヘッドは角ナット等１０に対して、上記９０度右方、及び９０度左方では図示したように横掛けされる。なお、中央位置では角ナット等は図示を省略してある。
【００３４】
図１０は、本発明に係るヘッド可動型スパナの実施例１におけるスパナヘッドの説明図である。図１で説明したように、スパナヘッド２は、基部２１から肩部２１１を介して刺股状に、かつ共通面内で互いに向かい合って延出した第１顎部２２と第２顎部２３を有する。第１顎部２２の端部と第２顎部２３の端部の間は開放しており、角ナット１０等に横掛けするための、所謂片口スパナヘッドとなっている。そして、スパナヘッド２を構成する第１顎部２２は、角ナット等の角間サイズに相当する所定の間隔で当該角ナット等の側面に当接する当接面２２３を介して隣接する第１角２２１と第２角２２２とからなる第１の支持固定部を有している。
【００３５】
スパナヘッド２を構成する第２顎部２３は、前記第１顎部２２の当接面２２３と向かい合い、前記角ナット等の側面に頂部が当接するごとく外側に突出する弧面２３１からなる第２の支持固定部を有している。基部２１の肩部２１１から突出しており、その端部は円弧部２６とされ、基部貫通孔２４が設けられている。
【００３６】
図１１は、本発明に係るヘッド可動型スパナの実施例１における支持ホルダの説明図であり、同図（ａ）は上面を、同図（ｂ）は正面を、同図（ｃ）は側面を示す。前記支持ホルダ３は把手を構成するシャフトのグリップ部９と反対の端部にスパナヘッド２の基部２１を受容するＵ字溝３１が形成されている。このＵ字溝３１を橋絡して前記片口スパナヘッド２の前記基部２１に設けた貫通孔２４を通して整列するホルダ貫通孔３３を有している。スパナヘッド２の基部２１と支持ホルダ３とは、ホルダ貫通孔３３と基部貫通孔２４を貫通する支持ピン４で回動可能に接続される。Ｕ字溝３１の端部は円弧部３４が形成されている。
【００３７】
支持ピン４は、その両端部の少なくとも一方がホルダ貫通孔３３に固着される。スパナヘッド２の基部貫通孔２４は支持ピン４とは回動可能に挿通している。支持ホルダ３のＵ
字溝３１とは反対側の端部にはホルダ側段差３２が形成されており、このホルダ側段差３２にシャフト７のシャフト側段差７１を溶接するようになっている。
【００３８】
この支持ホルダ３はスパナの操作棹６（シャフト７）をスパナヘッド２の両顎部２２，２３を含む平面に対して直交する方向に引き起こし回動を可能とし、角ナット等に対する操作棹６の旋回範囲を作業スペースに合わせて任意に変更できるようにした。
【００３９】
図１２は、本発明に係るヘッド可動型スパナの実施例１における操作棹（把手）の説明図である。また、図１３は、本発明に係るヘッド可動型スパナの実施例１における支持ホルダを取り付けた操作棹（把手）の説明図である。図１２と図１３において、（ａ）は上面を、（ｂ）は右側面を示す。この操作棹すなわち把手６は、シャフト７とグリップ部９およびシャフト７をグリップ部９に固着する固定部８とから構成される。シャフト７の一端（グリップ部とは反対端）にシャフト側段差７１が形成され、このシャフト側段差７１を支点ホルダ３のホルダ側段差３２に交合させて溶接して一体化する。
【００４０】
なお、固定部８は、グリップ部９からシャフト７にかけて縮径した３段構成として示されるが、これは一例であり、固定部８の縮径段数を任意としたり、漸次径小としたりすることもできる。また、シャフト７をグリップ部９に植立させて直接延びる構成とすることもできる。
【００４１】
本発明の構成としたヘッド可動型スパナを用いた角ナット等の締付けあるいは緩め操作について、角ナット等の例としてのＦ型コネクタの接栓スリーブと接栓座とを例として説明する。先ず、本実施例のスパナで接栓スリーブ１０を接栓座に締め付ける作業について説明する。
【００４２】
図１４は、本発明に係るヘッド可動型スパナの実施例１のスパナヘッドをナットの締め付けのために横掛けした状態の説明図で、同図（ａ）は上面を、同図（ｂ）は右側面を示す。また、図１５は、本発明に係るヘッド可動型スパナの実施例１のスパナヘッドをナットの締め付けのために横掛けして操作棹のシャフトを引き起こした状態の説明図である。この場合、スパナヘッド２の第２顎部２３が接栓スリーブ顎部１０の時計周りの回転方向で第１顎部２２に先行回転する姿勢でスパナヘッド２を接栓スリーブ１０の側面方向から横掛けする。接栓スリーブ１０は同軸ケーブル１１の端部に回転可能に取り付けられている。この接栓スリーブ１０は機器１３の接続ボードに固定された接栓座１２に螺合して信号接続がなされる。
【００４３】
この状態で、前記把手６のシャフト７でスパナヘッド２を時計周りに回転したときは第１の支持固定部と前記第２の支持固定部とで接栓スリーブ１０を挟持固定して締め付けトルクを与える。なお、この状態でスパナヘッド２反時計周りに回動したときは第２の支持固定部の前記弧面の頂部は前記接栓スリーブ１０の側面を滑り、前記第１角２２１と第２角２２２は前記接栓スリーブ１０の前記角から脱出してシャフト７から接栓スリーブ１０への回転トルクの伝達は遮断される。図１５図に示したように、把手を構成するシャフト７は、スパナヘッド２を構成する第１顎部２２と第２顎部２３を含む平面と並行な直線Ｈ−Ｈに関して上方及び下方に略９０度それぞれ引き起こしが可能となっている。シャフト７に固定された支点ホルダとスパナヘッド２の回転部に挿入されたスプリングワッシャはシャフト７の引き起こし操作をスムーズにし、所定の引き起こし状態を適正に保持する。
【００４４】
次に、本実施例のスパナで角ナット１０等を緩める作業について説明する。図１６は、本発明に係るヘッド可動型スパナの実施例１のスパナヘッドをナットの緩めのために横掛けした状態の説明図で、同図（ａ）は上面を、同図（ｂ）は右側面を示す。また、図１７は、本発明に係るヘッド可動型スパナの実施例１のスパナヘッドをナットの緩めのために
横掛けして操作棹のシャフトを引き起こした状態の説明図である。
【００４５】
この場合、前記スパナヘッド２を第１の支持固定部と第２の支持固定部との位置を前記締付け時の場合から接栓スリーブ１０に対して入れ替えるごとく表裏反転して前記接栓スリーブ１０の側面方向から前記スパナヘッド２を横掛けする。この状態で、スパナヘッド２を反時計周りに回転したときは前記第１の支持固定部と前記第２の支持固定部とで前記接栓スリーブ１０に緩める方向のトルクを与える。また、この横掛け状態で前記スパナヘッド２を時計周りに回動したときは前記第２の支持固定部の前記弧面の頂部は前記接栓スリーブ１０の側面を滑り、前記第１角２２１と第２角２２２は前記接栓スリーブ１０の前記角から脱出してシャフト７から接栓スリーブ１０への回転トルクの伝達が遮断される。
【００４６】
図１７図に示したように、把手を構成するシャフト７は、スパナヘッド２を構成する第１顎部２２と第２顎部２３を含む平面と並行な直線Ｈ−Ｈに関して上方及び下方に略９０度それぞれ引き起こしが可能となっている。シャフト７に固定された支点ホルダとスパナヘッド２の回転部に挿入されたスプリングワッシャはシャフト７の引き起こし操作をスムーズにし、所定の引き起こし状態を適正に保持する。
【００４７】
本実施例によれば、一方向の回転時でのみＦ型接栓のスリーブなどを含む角ナット等に順方向（時計周り）の回動トルクが印加されるスパナヘッドの把手の旋回範囲を任意に選択できるようにしたことで、狭い作業スペースでの操作棹の回動を許容して作業を容易にすることができる。そして、スパナヘッドを角ナット等に係合する互いに対向する２つの顎部を左右反転した状体で当該角ナット等に横掛けし、上記と反対の回動方向（逆方向：反時計周り）に操作棹のトルクを加えることができるとともに、操作棹の旋回範囲を任意に可変できるため、狭い作業スペースでも横掛け方向を変更するのみで締め付けあるいは緩めのための作業が容易にある。
【００４８】
本実施例のヘッド可動型スパナを用いることで、ラック等に高密度で設置されるＣＡＴＶ放送機器あるいはその中継機器などの設備において、同軸ケーブルが接続された状態のＦ型コネクタなどの接栓スリーブを接続ボードに取り付けられた接栓座に締め付けあるいは緩めを行う作業では、作業員の負担を大幅に軽減でき、作業効率の向上に資する。
【００４９】
実施例１における把手６は、既知の所謂ドライバの把手に類する形状であるが、本実施例では、図面を用いての説明は少尉略するが、例えば特許文献１に記載されたスパナにおける柄（ハンドル）のようなものを用いることができる。この場合、実施例１で説明した支点ホルダ３の機能を上記柄の端部に形成することもできる。
【実施例２】
【００５０】
図１８は、本発明に係るヘッド可動型スパナの実施例２を説明する分解斜視図である。図１８も図１と同様に、全体の長さが紙面に収まり切れないため、作業者が握る操作棹（把手）部分を分割し、かつグリップ部側を縮小して示してある。本実施例に係るヘッド可動型スパナ１も、片口スパナヘッド２と支持ホルダ３および把手６の大きく分けて3つの
部分で構成される。
【００５１】
本実施例では、スパナヘッド２の基部２１と支点ホルダ３のＵ字溝３１との間に支持ピン４の少なくとも一端部に挿通して当該スパナヘッドとＵ字溝３１とを弾圧するスプリングワッシャ５を設けている。スプリングワッシャ５を設けることで、スパナヘッド２のガタツキを防止し、把手を引き起こして旋回範囲を可変とする際の操作をスムーズにすることができる。
【００５２】
本実施例のヘッド可動型スパナの上記スプリングワッシャ５を設けた点を除いて大方の
全体形状は前記図２乃至図７に示したものと同様であるので、同じ構成部分は説明を省略する。ただし、スパナヘッド２’の一対の顎部の形状は実施例１と若干異なる。すなわち、図１８のスパナヘッド２’は、一対の顎部の一方の顎部（第１顎部）２２’と他方の顎部（第２顎部）２３’を実施例１のものに比べて外側の角を少なくして簡略化し、サイズも小さくしてある。
【００５３】
図１９は、本発明に係るヘッド可動型スパナの実施例２のスパナヘッドをナットの締め付けのために横掛けした状態の説明図で、同図（ａ）は上面を、同図（ｂ）は右側面を示す。この場合、スパナヘッド２の第２顎部２３が接栓スリーブ顎部１０の時計周りの回転方向で第１顎部２２に先行回転する姿勢でスパナヘッド２を接栓スリーブ１０の側面方向から横掛けする。接栓スリーブ１０は同軸ケーブル１１の端部に回転可能に取り付けられている。この接栓スリーブ１０は機器１３の接続ボードに固定された接栓座１２に螺合して信号接続がなされる。
【００５４】
この状態で、前記把手のシャフト７でスパナヘッド２を時計周りに回転したときは第１の支持固定部と前記第２の支持固定部とで接栓スリーブ１０を挟持固定して締め付けトルクを与える。なお、この状態でスパナヘッド２反時計周りに回動したときは第２の支持固定部の前記弧面の頂部は前記接栓スリーブ１０の側面を滑り、前記第１角２２１と第２角２２２は前記接栓スリーブ１０の前記角から脱出してシャフト７から接栓スリーブ１０への回転トルクの伝達は遮断される。シャフト７に固定された支点ホルダとスパナヘッド２の回転部に挿入されたスプリングワッシャはシャフト７の引き起こし操作をスムーズにし、所定の引き起こし状態を適正に保持する。
【００５５】
次に、本実施例のスパナで角ナット１０等を緩める作業について説明する。図２０は、本発明に係るヘッド可動型スパナの実施例２のスパナヘッドをナットの緩めのために横掛けした状態の説明図で、同図（ａ）は上面を、同図（ｂ）は右側面を示す。
【００５６】
この場合、実施例１と同様に、前記スパナヘッド２を第１の支持固定部と第２の支持固定部との位置を前記締付け時の場合から接栓スリーブ１０に対して入れ替えるごとく表裏反転して前記接栓スリーブ１０の側面方向から前記スパナヘッド２を横掛けする。この状態で、スパナヘッド２を反時計周りに回転したときは前記第１の支持固定部と前記第２の支持固定部とで前記接栓スリーブ１０に緩める方向のトルクを与える。また、この横掛け状態で前記スパナヘッド２を時計周りに回動したときは前記第２の支持固定部の前記弧面の頂部は前記接栓スリーブ１０の側面を滑り、前記第１角２２１と第２角２２２は前記接栓スリーブ１０の前記角から脱出してシャフト７から接栓スリーブ１０への回転トルクの伝達が遮断される。
【００５７】
本実施例によっても、一方向の回転時でのみＦ型接栓のスリーブなどを含む角ナット等に順方向（時計周り）の回動トルクが印加されるスパナヘッドの把手の旋回範囲を任意に選択できるようにしたことで、狭い作業スペースでの操作棹の回動を許容して作業を容易にすることができる。そして、スパナヘッドを角ナット等に係合する互いに対向する２つの顎部を左右反転した状体で当該角ナット等に横掛けし、上記と反対の回動方向（逆方向：反時計周り）に操作棹のトルクを加えることができるとともに、操作棹の旋回範囲を任意に可変できるため、狭い作業スペースでも横掛け方向を変更するのみで締め付けあるいは緩めのための作業が容易にある。
【００５８】
本実施例のヘッド可動型スパナを用いることで、ラック等に高密度で設置されるＣＡＴＶ放送機器あるいはその中継機器などの設備において、同軸ケーブルが接続された状態のＦ型コネクタなどの接栓スリーブを接続ボードに取り付けられた接栓座に締め付けあるいは緩めを行う作業では、作業員の負担を大幅に軽減でき、作業効率の向上に資する。
【００５９】
実施例２における把手６も、既知の所謂ドライバの把手に類する形状であるが、本実施例では、図面を用いての説明は少尉略するが、例えば特許文献１に記載されたスパナにおける柄（ハンドル）のようなものを用いることができる。この場合、支点ホルダ３の機能を上記柄の端部に形成することもできる。
【符号の説明】
【００６０】
１・・・ヘッド可動型スパナ、２，２’・・・スパナヘッド、２１・・・基部、２２，２２’・・・第１顎部（一方の顎部）、２２１・・・第１角、２２２・・・第２角、２２３・・・当接面、２３，２３’・・・第２顎（他方の顎部）、２３１・・・弧面、２４・・・基部貫通孔、２５・・・ワッシャ溝、２６・・・円弧部、３・・・支点ホルダ、３１・・・Ｕ字溝、３２・・・ホルダ側段差、３３・・・ホルダ貫通孔、３４・・・円弧部、４・・・支持ピン、５・・・スプリングワッシャ、６・・・操作棹（把手）、７・・・シャフト、７１・・・シャフト側段差、７２・・・溶接部、８・・・固定部、９・・・グリップ部、１０・・・角ナット（Ｆ型コネクタの接栓スリーブ）、１１・・・同軸ケーブル、１２・・・Ｆ型コネクタの接栓座、１３・・・ＣＡＴＶ設備の機器。
【図１】
2016132069.tif 000003
【図２】
2016132069.tif 000004
【図３】
2016132069.tif 000005
【図４】
2016132069.tif 000006
【図５】
2016132069.tif 000007
【図６】
2016132069.tif 000008
【図７】
2016132069.tif 000009
【図８】
2016132069.tif 000010
【図９】
2016132069.tif 000011
【図１０】
2016132069.tif 000012
【図１１】
2016132069.tif 000013
【図１２】
2016132069.tif 000014
【図１３】
2016132069.tif 000015
【図１４】
2016132069.tif 000016
【図１５】
2016132069.tif 000017
【図１６】
2016132069.tif 000018
【図１７】
2016132069.tif 000019
【図１８】
2016132069.tif 000020
【図１９】
2016132069.tif 000021
【図２０】
2016132069.tif 000022